(57)【要約】      （修正有）【課題】医師側から患者側への一方向の循環対流を生成するために使用され、医師と患者との間の隔離効果を確保することができる循環空気清浄装置を提供する。【解決手段】浄化された空気を吹き出すことができる第一ホストＡと、空気を回収および浄化することができる第二ホストＢとを備えた循環空気清浄装置であって、第一ホストには、第一の高効率フィルター、圧力センサー、第一のファン、および第一のモーターが装備されて、第一のモーターが第一のファンを駆動し、空気を第一の高効率フィルターに通して浄化し、センサーは、第一の高効率フィルターを通過する空気の圧力値を検出し、第一モーターと圧力センサーは、圧力値の変化を計算してフィードバック制御に処理できるマイクロプロセッサーに電気接続され、モーター速度、および圧力値が制限値を超えると、第一の高効率フィルターを交換するための警告信号を出力する。【選択図】図１
0003231878.tif 000002
【実用新案登録請求の範囲】
【請求項１】
第一ホストと第二ホストとで構成される循環空気清浄装置であって、
前記第一ホストはチャンバを有し、前記チャンバと外部を接続するブローポートと吸引ポートを設け、前記チャンバには第一の高効率フィルターと第一のファンを有し、
前記第一のファンは第一モーターで駆動され、外部空気が前記吸引ポートから前記チャンバに入り、前記第一の高効率フィルターを通過して前記ブローポートから放出され、
第二ホストはスペースを有し、前記スペースの内側と外側を接続する引き込みポートと排出口が装備され、前記引き込みポートと前記排出口は離間して向かい合って設けられ、
前記スペースには、第二の高効率フィルターと第二のファンが装備され、前記第二のファンが第二のモーターで駆動され、前記モーターは前記引き込みポートが前記排出口から送られた空気を受け取ることができるよう駆動され、一方向の循環対流を生成し、この生成された空気流を第二の高効率フィルターを通して排出口から放出することを特徴とする循環空気清浄装置。
【請求項２】
前記第一の高効率フィルターと前記第一のファンとの間にチャンバを配置し、前記第一の高効率フィルターを通過する空気の圧力値を検知する圧力センサーを設置し、
前記第一ホストにはインターフェースが装備され、前記インターフェース、前記第一モーター、圧力センサーはマイクロプロセッサーに電気接続され、前記マイクロプロセッサーは圧力値の変化を計算および処理してフィードバックし、前記第一モーターを制御し、回転速度が制御され、前記圧力値が限界値を超えると、前記第一の高効率フィルターを交換する警告信号を発することを特徴とする請求項１に記載の循環空気清浄装置。
【請求項３】
前記第一ホストは、前記第一の高効率フィルターと前記第一のファンとの間にＵＶランプを設け、前記ＵＶランプと前記第一の高効率フィルターに隣接する区画を備え、 表面は光触媒でコーティングされ、前記マイクロプロセッサーはＵＶランプに電気接続され、前記ＵＶランプとループ制御を形成できる第三のタイミングユニットを備えることを特徴とする請求項２に記載の循環空気清浄装置。
【請求項４】
前記第一ホストは、前記吸引ポートに対応する位置に第一の一次フィルターをさらに備え、前記マイクロプロセッサーは、第一のタイミングユニットおよび第二のタイミングユニットを有し、前記第一のタイミングユニットと前記インターフェースが前記第一の一次フィルターの交換期間を設定でき、第二のタイミングユニットとインターフェースが前記第一の高効率フィルターの交換期間を設定することを特徴とする請求項１に記載の循環空気清浄装置。
【請求項５】
前記第一ホストは、前記チャンバを開閉可能なドアパネルを設け、前記ドアパネルは、上半分に前記ブローポートを備え、前記チャンバは、前記ブローポートが位置的に一致する前記第一の高効率フィルターを設け、前記ドアパネルには、外周にライトバーが装備され、前記ライトバーは前記マイクロプロセッサーと電気接続されることを特徴とする請求項２に記載の循環空気清浄装置。
【請求項６】
ブローポートと第一の高効率フィルターとの間に加湿器を設置し、前記加湿器は給水室を有し、スプレーヘッド、および給水室に対して超音波作用を実行できる振動素子を備えて構成され、
前記マイクロプロセッサーは前記振動素子と電気接続されており、前記振動素子とループ制御を形成する第四のタイミングユニットを備えることを特徴とする請求項２から５のいずれか一項に記載の循環空気清浄装置。
【請求項７】
前記第二のファンの圧力を検出するための圧力検出素子をさらに備え、空気を第二の高効率フィルターに通し、 2つのホストにはタッチスクリーンが装備され、前記タッチスクリーン、前記第二モーター、前記圧力検出素子は中央処理装置に電気接続され、中央処理装置は圧力の変化を計算および処理してフィードバックし、前記第二モーターの速度を制御し 、前記検出圧力が制限パラメータを超えると、前記第二の高効率フィルターを交換する警告信号を発する請求項２から５のいずれか一項に記載の循環空気清浄装置。
【請求項８】
前記第二ホストは、前記引き込みポートに対応する位置に第二の一次フィルターを備え、前記中央処理装置は、第五のタイミングユニットおよび第六タイミングユニットを有し、前記第五のタイミングユニットと前記タッチスクリーンには前記第二の一次フィルター交換期間が設定され、第六のタイミングユニットとタッチスクリーンには前記第二の高効率フィルター交換期間が設定されることを特徴とする請求項７に記載の循環空気清浄装置。
【請求項９】
前記第二ホストは、前記スペースを開閉できる前記ドアリーフが枢動可能に接続され、前記ドアリーフの上半分には、引き込みポートが設けられ、前記スペースには、前記第二の一次フィルターが引き込みポートと一致するように設置されることを特徴とする請求項７に記載の循環空気清浄装置。
【考案の詳細な説明】
【技術分野】
【０００１】
本考案は循環空気清浄装置に係り、特に医師側から患者側への空気の流れを制御でき、一方向循環対流空気清浄装置に関するものであり、循環空気清浄装置内部の高効率フィルターの交換を促すことが可能な循環空気清浄装置に関するものである。
【背景技術】
【０００２】
新種のウイルス（SARS、MERS、H3N2、COVID-19など）が出るたびに、人間はそれに対する抗体を持たないため、広がりやすく、深刻な合併症を引き起すことがある。
【０００３】
前述のウイルスは、空気、飛沫等の液滴、または接触を介して患者に感染する可能性がある。そこで、診断と治療の最前線にいる医師は、マスクを着用して対応し、さらに、医療施設に空気清浄機を設置して空気を殺菌することが好ましく、 特に小規模な診療所では、医師と患者に対するその隔離効果はまだ不十分である。
【先行技術文献】
【特許文献】
【０００４】
【特許文献１】特開２０２０−２５８２８号
【考案の概要】
【考案が解決しようとする課題】
【０００５】
本考案は、上述した問題点に鑑みてなされたもので、細菌、ウィルスを含んだ空気を回収および浄化し、空気の流れが医師側から患者側へと一方向に循環対流するように生成され、これによって医師と患者との空気的な隔離を図ることができるようにした循環空気清浄装置を提供することを目的とする。
【課題を解決するための手段】
【０００６】
上述した課題を解決するために本考案による一態様の循環空気清浄装置は、第一ホストと第二ホストとで構成される循環空気清浄装置であって、
前記第一ホストはチャンバを有し、前記チャンバと外部を接続するブローポートと吸引ポートを設け、前記チャンバには第一の高効率フィルターと第一のファンを有し、
前記第一のファンは第一モーターで駆動され、外部空気が前記吸引ポートから前記チャンバに入り、前記第一の高効率フィルターを通過して前記ブローポートから放出されるよう構成され、
前記第二ホストはスペースを有し、前記スペースの内側と外側を接続する引き込みポートと排出口が装備され、前記引き込むポートと前記排出ポートとを離間して向かい合って設け、
前記スペースには、第二の高効率フィルターと第二のファンが装備され、前記第二のファンが第二のモーターで駆動され、前記引き込みポートから空気を吸引して前記第二の高効率フィルターを通して前記排出口から放出するよう構成されている。
【考案の効果】
【０００７】
本考案は、浄化された空気を吹き出す第一ホストと、浄化された空気を吹き出す第二ホストを組み合わせることによって、細菌、ウィルスを含んだ空気を回収および浄化し、空気の流れが医師側から患者側へと一方向に循環対流するように生成され、これによって医師と患者との空気的な隔離を確保することができる。
【０００８】
本考案の一実施の形態の循環空気清浄装置を構成する第一ホストは、第一の高効率フィルター、圧力センサー、第一のファンおよび第一モーターを備え、第一モーターは第一のファンを駆動して、空気を第一の高効率フィルターに通して浄化し、圧力センサーは第一の高効率フィルターを通過する空気の圧力値を検出し、第一モーターと圧力センサーはマイクロプロセッサーに電気接続され、マイクロプロセッサーは圧力値の変化を計算して処理し、第一モーターの速度をフィードバックして制御し、前述の圧力値が限界値を超えたときに警告を発して、第一の高効率フィルターの交換促す。
【０００９】
循環空気清浄装置を構成する第二ホストは、スペースを有してこのスペースには、取り込んだ空気中に含んでいるチリ、ホコリ、細菌、ウィルス等の異物を除去するための第二の高効率フィルターと、第二の一次フィルターが備えられ、第二の一時フィルターは引き込みポートに対応する位置に設置され、スペースには、第二のファンを有し、第二のファンを回転させるための第二のモーターを備え、この第二のモーターを適切に回転させることによって、前記第二のファンは、第二ホストのブローポートから吹き出されて医師側と患者側を通過した後、負圧下で吸気ポートに吸い込まれ、次に第二の一次フィルターおよび第二の高効率フィルターを強制的に通過させ、排気ポートから浄化された空気を放出する。
【図面の簡単な説明】
【００１０】
【図１】本考案の一実施の形態の循環空気清浄装置を示す斜視図である。
【図２】本考案の一実施の形態の循環空気清浄装置を構成する第一ホストの断面図である。
【図３】本考案の一実施の形態の第一ホストの回路ブロック図である。
【図４】ドアが開かれたときの一実施の形態の第一ホストの斜視図である。
【図５】本考案の一実施の形態の循環空気清浄装置を構成する第二ホストの断面図である。
【図６】本考案の一実施の形態の第二ホスト回路ブロック図である。
【図７】第二のドアが開かれたときの一実施の形態の第２ホストの斜視図である。
【図８】図1に示す循環空気清浄装置の断面図である。
【図９】本考案の一実施の形態の循環空気清浄装置の空気の流れを説明する説明図である。
【考案を実施するための形態】
【００１１】
図1から図9を參照し、本考案の一実施の形態の循環空気清浄装置を説明する。循環空気清浄装置は、医師の後ろに設置する第一のホストAと、患者の後ろに設置する第二のホストBとで構成される。
【００１２】
第一の循環空気清浄装置であるホストAにについて図１〜４に示し、以下に説明する。
【００１３】
このホストAは、ドクターの背後等の近隣に配置される。筐体であるキャビネット１０の中にはチャンバ１００が形成され、キャビネット１０には、２つのヒンジ１０１を有し、この２つのヒンジ１０１によってドアパネル１０２を開閉可能とし、枢動可能に接続されドアパネル１０２の上半分は、チャンバ１００の内側および外側を接続するブローポート１１を備えている。キャビネット１０の下半分は、ドアパネル１０２の反対側に位置し、チャンバ１００の内側および外側を接続する吸引ポート１２を備えている。ドアパネル１０２が閉じたとき、チャンバ１００は、ブローポート１１および吸引ポート12 に接続することができ、このチャンバ１００は、ブローポート１１に対応する位置に第一の高効率フィルター１３（例えば、ＨＥＰＡ）を備えており、第一の一次フィルター１４は、吸引ポート１２に対応する位置に設置されている。
【００１４】
チャンバ１００はさらに、第一のファン１５と、第一のファン１５を回転させるための第一のモーター１５１とを備え、第一のファン１５は、負圧下で吸引ポート１２を介してチャンバー１００の外空気を吸引する。
【００１５】
次に、第一の一次フィルター１４によって濾過された空気が第一の高効率フィルター１３を通過し、それにより空気中の粒子または細菌、ウィルスを濾過し、その結果、ブローポート１１は浄化された空気を放出する。チャンバ１００は、第一の高効率フィルター１３と第一のファン１５との間にさらに設置され、短波ＵＶランプ１６が設置されている。チャンバ１００およびＵＶランプ１６に隣接する第一の高効率フィルター１３の表面は、光触媒でコーティングされている。
チャンバ１００および第一の高効率フィルター１３に付着した細菌、ウィルスは、UVランプ16の下で殺菌、不活性して除去し、光触媒を活性化できるため、保守担当者は、第一の高効率フィルター1３の交換時または修理時により安全性を確保できる。
【００１６】
ドアパネル１０２の外周には、青色ＬＥＤからなるライトバー１７が埋め込まれ、通電すると、ドアパネル１０２の周りに輝く魅力的な円形の雰囲気を発することができ、さらに、ドアパネル１０２の外面は、ブローポート１１の下にインターフェース18が設置されている。
【００１７】
加湿器２０は、ブローポート１１と第一の高効率フィルター１３との間のチャンバ１００内に設置され、給水室２１と、給水室２１の上部に接続されたスプレーヘッド２２となる。給水室２１上で超音波作用を実行することができ、振動素子（図には示されていない）により、振動素子が通電されると、スプレーヘッド２２は、噴霧された水蒸気をブローポート１１に出力することができ、それにより、第一の高効率フィルター１３を通過した空気は、浄化し加湿して放出され、これにより診療室内の空気を浄化し、乾燥を避けることが可能となる。
【００１８】
第一の高効率フィルター１３と第一のファン１５との間のチャンバ１００内に配置された、第一のファン１５の圧力値を検出する圧力センサー３０を有している。この圧力センサー３０は、第一の高効率フィルター１３を通過する空気の圧力を検出する。
【００１９】
図３に示すようにチャンバ１００には、外部電源を有し、振動素子、ＵＶランプ１６、ライトバー１７、インターフェース１８、第一のモーター１５１、および圧力センサー３０と電気接続されて、必要な様々な付属品を提供するマイクロプロセッサー４０を有している。 このマイクロプロセッサー４０は、前述の圧力値の変化を計算および処理して、第一の高効率フィルター１３のブロッキング状態を決定することができる。
【００２０】
次に、マイクロプロセッサー４０は、第一のモーター１５１の速度の増加を制御し、インターフェース１８は、マイクロプロセッサー４０に制限値を入力し、前記圧力センサー３０により検出された圧力値が制限値を超えたときに警告を発して第一の高効率フィルター１３の交換を促すよう圧力値を検出する。第一の高効率フィルターの交換を促す警告信号は、音または視覚効果を備えたインターフェース１８を介して送られる。
【００２１】
マイクロプロセッサー４０はさらに、第一のタイミングユニット４１、第二のタイミングユニット４２、第三のタイミングユニット４３、および第四のタイミングユニット４４を有し、その結果、第一のタイミングユニット４１およびインターフェース１８は、第一の一次フィルター１４の交換期間を設定ことができ、第二のタイミングユニット４２およびマンマシンインターフェース１８は、第一の高効率フィルター１３の交換期間を設定することができる。
【００２２】
したがって、第一の高効率フィルター１３は、圧力センサー３０の圧力値の変化が限界値を超えるかどうかを検出することによって、第一の高効率フィルター１３がより良好なウイルス濾過効率を維持する。
【００２３】
前述の第三のタイミングユニット４３は、ＵＶランプ１６とループ制御を形成し、第四のタイミングユニット４４は、前述の振動素子とループ制御を形成し、その結果、マイクロプロセッサー４０は、ＵＶランプ１６および加湿器２０のスイッチングタイミングを自動的に制御できる。
【００２４】
次に、第二の循環空気清浄装置であるホストBについて下記に説明する。
【００２５】
このホストBは、患者の背後等の隣接する場所に配置される。図５と図７示すように、ホストBには筐体であるシェル５０を有し、このシェル５０には、ピボット５０１によって支持され、枢動可能に接続されたドアリーフ５０２が設けられており、シェル５０の内部にはスペース５００が形成されている。ドアリーフ５０２を開くことで、スペース５００に設けられた各種構成の確認等各種作業を可能としている。
【００２６】
このドアリーフ５０２の上半分には、空気をスペース５００に吸入する側に引き込みポート５１を備えている。この引き込みポート５１とホストAに設けられたブローポート１１は離間した距離であって対向するように配置されている。
【００２７】
さらに、シェル５０の下半分には、ドアリーフ５０２の反対側に、スペース５００の内側と外側を接続する排出口５２が存在し、ドアリーフ５０２が閉られている状態のとき、シェル５００は引き込みポート５１および排出ポート５２と介在することができる。
【００２８】
このスペース５００には、ホストB内に取り込んだ空気中に含んでいるチリ、ホコリ、細菌、ウィルス等の異物を除去するための第二の高効率フィルター５３と、第二の一次フィルター５４が備えられ、第二の一時フィルター５４は引き込みポート５１に対応する位置に設置されている。
【００２９】
スペース５００には、第二のファン５５を有し、第二のファン５５を回転させるための第二のモーター５５１を備え、この第二のモーター５５１を適切に回転させることによって、第二のファン５５は、第二のホストＡのブローポート１１から シーケンスが医師側と患者側を通過した後、負圧下で吸気ポート５１に吸い込まれ、次に第二の一次フィルター５４および第二の高効率フィルター５３を強制的に通過させ、排気ポート５２が浄化された空気を放出する。
【００３０】
シェル５００には、第二の高効率フィルター５３と第二の一次フィルター５４との間に、波ＵＶ光源５６が設置され、このUV光源５６によってＵＶ光源５６に隣接するシェル５００および第二の高効率フィルター５３の表面は、光触媒でコーティングされている。
【００３１】
前述のドアリーフ５０２の外周にはラインランプ５７が設置おり、ドアリーフ５０２の外面には、引き込みポート５１の下にタッチスクリーン５８が設置されている。
【００３２】
スペース５００であって、第二の高効率フィルター５３と第二の一次フィルター５４との間には、第二の高効率フィルタータ５３を通過する空気の圧力パラメータを検出するための圧力検出素子６０が配置されている。
【００３３】
また、外部電源を有し、ＵＶ光源５６、ラインライト５７、タッチスクリーン５８、第二のモーター５５１、および圧力検出素子６０、中央処理装置７０と、が電気接続されている。中央処理装置７０は、前述の圧力パラメータを計算および処理し、第二のモーター５５１の速度がフィードバックで増加するかどうかを制御するように変更し、さらに、タッチスクリーン５８は、中央処理装置７０に制限パラメータを入力し、前述の圧力パラメータが制限パラメータを超えると、警告信号を発して、第二の高効率フィルター５３を、中央処理装置７０が交換するように促す。
【００３４】
また、ホストBは、第五のタイミングユニット７１、第六のタイミングユニット７２および第七のタイミングユニット７３を有する。第五のタイミングユニット７１は、第二の一次フィルター５４の交換期間を設定するためのタッチスクリーン５８を提供する。第六のタイミングユニット７２は、第二の高効率フィルター５３の交換期間を設定するためのタッチスクリーン５８を提供する。前述の第七のタイミングユニット７３は、ＵＶ光源５６とループ制御を形成し、ＵＶ光源５６のスイッチングタイミングを自動的に制御する。
【００３５】
図8と図9に示すように、本考案の一実施の形態の循環空気清浄装置は、医師側の近隣に設置した第一のホストAを制御することにより、精製された空気を第二のホストBに向けて吹き付け、これにより、精製された空気は医師側から患者側へと流れ、このように流れた空気はさらに、第二のホストBに取り込まれてろ過され、空気が精製された状態を提供する。
【００３６】
上記のように、医師側から患者側への一方向の空気の循環対流を生成することにより、医師と患者間の隔離効果が実質的に確保され、医療現場に運ばれる細菌、ウィルスの量を減らすことができる。
【００３７】
特に、空間の狭い診療所では、第一のホストAが医師の後ろに設置し、第二のホストBが患者の後ろに設置し、前述のように一方向に循環、対流された空気は、患者が吐き出した空気または飛沫等の液滴を患者の近くに設置した第二のホストBに吸収してろ過し、浄化されることによって、医者の感染率を効果的に減らすことができる。
【００３８】
本考案は、前述した実施形態に限られるものではなく、請求の範囲及び明細書全体、図面から読み取れる考案の要旨或は思想に反しない範囲で適宜変更可能である。
【符号の説明】
【００３９】
A第一のホスト
10キャビネット
100 チャンバ
101ヒンジ
102ドアパネル
11ブローポート
12吸引ポート
13第一の高効率フィルター
14第一の一次フィルター
15第一のファン
151第一モーター
16UVランプ
17ライトバー
18インターフェース
20加湿器
21給水室
22スプレーヘッド
30圧力センサー
40マイクロプロセッサー
41第一のタイミングユニット
42第二のタイミングユニット
43第三のタイミングユニット
44第四のタイミングユニット
B第二のホスト
50シェル
500スペース
501ピボット
502ドアリーフ
51引き込みポート
52排出口
53 第二の高効率フィルター
54第二の一次フィルター
55第二のファン
551第二モーター
56  UV光源
57ラインライト
58タッチスクリーン
60圧力検出素子
70中央処理装置
71第五のタイミングユニット
72第六のタイミングユニット
73第七のタイミングユニット
【図１】
0003231878.tif 000003
【図２】
0003231878.tif 000004
【図３】
0003231878.tif 000005
【図４】
0003231878.tif 000006
【図５】
0003231878.tif 000007
【図６】
0003231878.tif 000008
【図７】
0003231878.tif 000009
【図８】
0003231878.tif 000010
【図９】
0003231878.tif 000011
【手続補正書】
【提出日】令和3年3月2日(2021.3.2)
【手続補正１】
【補正対象書類名】実用新案登録請求の範囲
【補正対象項目名】全文
【補正方法】変更
【補正の内容】
【実用新案登録請求の範囲】
【請求項１】
第一ホストと第二ホストとで構成される循環空気清浄装置であって、
前記第一ホストはチャンバを有し、前記チャンバと外部を接続するブローポートと吸引ポートを設け、前記チャンバには第一の高効率フィルターと第一のファンを有し、
前記第一のファンは第一モーターで駆動され、外部空気が前記吸引ポートから前記チャンバに入り、前記第一の高効率フィルターを通過して前記ブローポートから放出され、
第二ホストはスペースを有し、前記スペースの内側と外側を接続する引き込みポートと排出口が装備され、前記引き込みポートと前記排出口は離間して向かい合って設けられ、
前記スペースには、第二の高効率フィルターと第二のファンが装備され、前記第二のファンが第二のモーターで駆動され、前記第二のモーターは前記引き込みポートが前記排出口から送られた空気を受け取ることができるよう駆動され、一方向の循環対流を生成し、この生成された空気流を第二の高効率フィルターを通して排出口から放出することを特徴とする循環空気清浄装置。
【請求項２】
前記第一の高効率フィルターと前記第一のファンとの間にチャンバを配置し、前記第一の高効率フィルターを通過する空気の圧力値を検知する圧力センサーを設置し、
前記第一ホストにはインターフェースが装備され、前記インターフェース、前記第一モーター、圧力センサーはマイクロプロセッサーに電気接続され、前記マイクロプロセッサーは圧力値の変化を計算および処理してフィードバックし、前記第一モーターを制御し、回転速度が制御され、前記圧力値が限界値を超えると、前記第一の高効率フィルターを交換する警告信号を発することを特徴とする請求項１に記載の循環空気清浄装置。
【請求項３】
前記第一ホストは、前記第一の高効率フィルターと前記第一のファンとの間にＵＶランプを設け、前記ＵＶランプと前記第一の高効率フィルターに隣接する区画を備え、 表面は光触媒でコーティングされ、前記マイクロプロセッサーはＵＶランプに電気接続され、前記ＵＶランプとループ制御を形成できる第三のタイミングユニットを備えることを特徴とする請求項２に記載の循環空気清浄装置。
【請求項４】
前記第一ホストは、前記吸引ポートに対応する位置に第一の一次フィルターをさらに備え、マイクロプロセッサーは、第一のタイミングユニットおよび第二のタイミングユニットを有し、前記第一のタイミングユニットとインターフェースが前記第一の一次フィルターの交換期間を設定でき、第二のタイミングユニットと前記インターフェースが前記第一の高効率フィルターの交換期間を設定することを特徴とする請求項１に記載の循環空気清浄装置。
【請求項５】
前記第一ホストは、前記チャンバを開閉可能なドアパネルを設け、前記ドアパネルは、上半分に前記ブローポートを備え、前記チャンバは、前記ブローポートが位置的に一致する前記第一の高効率フィルターを設け、前記ドアパネルには、外周にライトバーが装備され、前記ライトバーは前記マイクロプロセッサーと電気接続されることを特徴とする請求項２に記載の循環空気清浄装置。
【請求項６】
ブローポートと第一の高効率フィルターとの間に加湿器を設置し、前記加湿器は給水室を有し、スプレーヘッド、および給水室に対して超音波作用を実行できる振動素子を備えて構成され、
前記マイクロプロセッサーは前記振動素子と電気接続されており、前記振動素子とループ制御を形成する第四のタイミングユニットを備えることを特徴とする請求項２に記載の循環空気清浄装置。
【請求項７】
第二のファンの圧力を検出するための圧力検出素子をさらに備え、空気を第二の高効率フィルターに通し、 ２つのホストにはタッチスクリーンが装備され、前記タッチスクリーン、前記第二モーター、前記圧力検出素子は中央処理装置に電気接続され、中央処理装置は圧力の変化を計算および処理してフィードバックし、前記第二モーターの速度を制御し 、前記検出圧力が制限パラメータを超えると、前記第二の高効率フィルターを交換する警告信号を発する請求項２から５のいずれか一項に記載の循環空気清浄装置。
【請求項８】
前記第二ホストは、前記引き込みポートに対応する位置に第二の一次フィルターを備え、前記中央処理装置は、第五のタイミングユニットおよび第六タイミングユニットを有し、前記第五のタイミングユニットと前記タッチスクリーンには前記第二の一次フィルター交換期間が設定され、第六のタイミングユニットとタッチスクリーンには前記第二の高効率フィルター交換期間が設定されることを特徴とする請求項７に記載の循環空気清浄装置。
【請求項９】
前記第二ホストは、前記スペースを開閉できる前記ドアリーフが枢動可能に接続され、前記ドアリーフの上半分には、引き込みポートが設けられ、前記スペースには、前記第二の一次フィルターが引き込みポートと一致するように設置されることを特徴とする請求項７に記載の循環空気清浄装置。